(57)【要約】【課題】低コストかつコンパクトに器具を構成することができ、しかも、何人にも簡単に使用することのできる指間マッサージ器具を提供する。【解決手段】人間の手足の指間を摩擦、あるいは、マッサージする指間健康器具１において、指間に挟み込む紐体４と、当該紐体４を保持する一対の保持体２とを備え、当該保持体２間に保持された紐体４間に一定の隙間を設けた状態で前記紐体４を保持体２に取り付けるようにする。そして、この紐体４をループ状にして把手３に取り付け、ループを巡回させて常に新しい位置で使用できるようにする。【選択図】図１
2009189395.tif 000002
【特許請求の範囲】
【請求項１】
人間の手足の指間を摩擦、あるいは、マッサージする指間健康器具において、
指間に挟み込む紐体と、
当該紐体を保持する一対の保持体とを備え、
当該保持体間に保持された紐体間に一定の隙間を設けた状態で前記紐体を保持体に取り付けるようにしたことを特徴とする指間健康器具。
【請求項２】
人間の手足の指間を摩擦、あるいは、マッサージする指間健康器具において、
指間に挟み込もむ紐体と、
当該紐体を保持する一対の保持体とを備え、
前記紐体をループ状にして、隣接する紐体との間に一定の隙間を設けた状態で保持体に取り付けるようにしたことを特徴とする指間健康器具。
【請求項３】
前記ループ状の紐体を巡回可能に保持体に取り付けた請求項２に記載の指間健康器具。
【発明の詳細な説明】
【技術分野】
【０００１】
本発明は、人間の足手の指間を摩擦し、あるいは、マッサージする指間用健康器具に関し、より詳しくは、より低コストで使い勝手のよい指間用健康器具を提供できるようにしたものである。
【背景技術】
【０００２】
従来より、人間の足の指間をマッサージするものとして、多くの器具や装置が提案されている。
【０００３】
例えば、下記の特許文献１には、図４に示すように、箱形状の筐体６１と、その筐体６１の上面に一端側を回動可能に支持した土踏まず板６２と、この土踏まず板６２の前方に配置して５本の足の指間に挿入させる４本のマッサージ棒６３とを備え、この土踏まず板６２を前後上下に動かすことでマッサージ棒６３を連動させるようにした装置が提案されている。
【０００４】
また、下記の特許文献２には、下記の特許文献３には、図５に示すように、手動式の足指間マッサージ器具として、一対のリング状の把手６４と、このリング状の把手６４の間に架け渡された４本の紐体６５とを備え、このリング状の把手６４を両手で動かすことによって足指間を洗浄・マッサージできるようにした器具が提案されている。
【特許文献１】特開２００２−３０６５６８号公報
【特許文献２】特開平１１−２５３３５０号公報
【発明の開示】
【発明が解決しようとする課題】
【０００５】
しかしながら、上述のような足指間マッサージ器具では、次のような問題を有する。
【０００６】
すなわち、特許文献１（図４）に示されるような駆動機構を備えた装置では、装置が大型化してしまい、非常にコスト高なものとなってしまう。また、使用の際には、装置を床面に据え置いて使用しなければならず、使用の利便性が害してしまう。更に、一般に、足指間の幅や深さ（爪先から谷間までの深さ）には個人差があるため、固定化されたマッサージ帽や柱状部材などを使用すると、サイズが適わずに使用することができない場合もある。
【０００７】
一方、特許文献２（図５）に示されるようなリング状の把手に紐体を取り付けるようにした器具では、何人でも使用することができるものの、この特許文献２に記載される器具では、使用の際にリング状の把手を引っ張ると、各紐体が密着してしまうため、紐体を弛ませた状態で足の指間に一本ずつ紐を通さなければならない。しかるに、このような指間マッサージ器具を腰を屈めた状態で装着させるようにすると、身体の不自由な寝たきり老人などにとって使用しにくいものとなってしまう。
【０００８】
そこで、本発明は上記課題に着目してなされたもので、低コストかつコンパクトに器具を構成することができ、しかも、何人にも簡単に使用することのできる指間マッサージ器具を提供することを目的とする。
【課題を解決するための手段】
【０００９】
すなわち、本発明は上記課題を解決するために、人間の手足の指間を摩擦、あるいは、マッサージする指間健康器具において、指間に挟み込む紐体と、当該紐体を保持する一対の保持体とを備え、当該保持体間に保持された紐体間に一定の隙間を設けた状態で前記紐体を保持体に取り付けるようにしたものである。
【００１０】
このように構成すれば、紐体が一定の隙間を設けて取り付けられているため、保持体を引っ張った状態で紐間に隙間を形成することができ、そのまま足を挿入すれば足の指間に紐体を挟み込むことができるようになる。そして、このように紐体を指間に挟み込んだ状態で足を上下動させることによって、指間を摩擦あるいはマッサージさせて血行を促進することができるようになる。
【００１１】
また、このような発明において、好ましくは、指間に挟み込もむ紐体と、当該紐体を保持する一対の保持体とを備え、前記紐体をループ状にして、隣接する紐体との間に一定の隙間を設けた状態で保持体に取り付けるようににする。
【００１２】
このように構成すれば、紐体をループ状にして保持体に取り付けることができるため、結び目の箇所を少なくして簡単に紐体を取り付けることができるようになる。
【００１３】
また、紐体をループ状にして取り付ける場合、その紐体を巡回可能にして保持体に取り付けるようにする。
【００１４】
このようにすれば、仮に、指間の摩擦によって紐体に汚れた部分が生じたとしても、紐体を巡回させることによって紐の摩擦位置をずらすことができ、常に、紐体のきれいな部分を選択して使用することができるようになる。また、紐体がループ状、かつ、巡回可能に取り付けられているため、仮に保持体を両方に引っ張った場合であっても、紐体が均一に引っ張られ、部分的に紐体が強く引っ張られたり、弛んだりするようなことがなくなる。
【発明の効果】
【００１５】
本発明によれば、人間の手足の指間を摩擦、あるいは、マッサージする指間健康器具において、指間に挟み込む紐体と、当該紐体を保持する一対の保持体とを備え、当該保持体間に保持された紐体間に一定の隙間を設けた状態で前記紐体を保持体に取り付けるようにしたので、保持体を引っ張った状態で紐間に隙間を形成することができ、そのまま足を挿入すれば指間に紐体を挟み込むことができるようになる。そして、このように紐体を指間に挟み込んだ状態で足を上下動させることによって、指間を摩擦あるいはマッサージさせて血行を促進することができるようになる。
【発明を実施するための最良の形態】
【００１６】
以下、本発明の一実施の形態について図面を参照して説明する。図１は、本実施の形態における指間健康器具１の外観斜視図であり、図２はその断面図、図３は使用状態を示す図である。
【００１７】
この実施の形態における指間健康器具１は、図１に示すように、一対の保持体２と、この保持体２に掛け渡される紐体４とを備えて構成されたもので、隣接する紐体４の間に一定の隙間間隔を設けて取り付け、両方の保持体２を引っ張った状態で紐体４の間に足指５を挿入させるようにしたものである。そして、このように紐体４の間に足指５を挿入させた後に足を上下動させることで、足の指間を摩擦あるいはマッサージして血行を促進させるようにしたものである。以下、本実施の形態における指間健康器具１について詳細に説明する。
【００１８】
図１に示す保持体２は、同じ一対の木製の保持体２によって構成されるもので、それぞれの保持体２に４つの貫通孔２１を設け、その貫通孔２１に紐体４を通せるようにしている。この貫通孔２１は、保持体２の上面部分や下面部分からほぼ直角をなすように形成されており、その貫通孔２１との角部２２の摩擦によって、使用時に紐体４を容易に巡回させないようにしている。また、それぞれの保持体２の上面部分および下面部分には、保持体２を上下に引っ張ることができる把手３を取り付けている。この把手３は、布製の紐によって構成され、ループ状にして保持体２に取り付けることにより、指を引っ掛けるなどして持ちやすくしている。
【００１９】
また、この保持体２に取り付けられる紐体４は、足指５の間を摩擦し、あるいは、マッサージできるようにしたもので、直径１ｃｍ程度の紐であって、しかも、貫通孔２１との間に若干の隙間を形成できるような布製の紐によって構成される。この実施の形態では、紐体４は、上下２つの貫通孔２１に１本の紐体４を通してループを構成し、このループを対称に２箇所設けることによって方向性をなくして、いずれの方向からでも足指５を挟み込めるようにしている。なお、ここで紐体４を組紐で構成した場合は、指間を大きく摩擦することができ、また、紐体４を拠紐で構成した場合は、その拠りの段差によって指間を強くマッサージすることができるようになる。なお、本実施の形態では、紐体４を布製の組紐や拠紐で構成するようにしているが、これに限らず、例えば、アクリル、レーヨンなどの素材で構成するようにしてもよく、あるいは、帯状の紐によって構成するようにしてもよい。
【００２０】
このように構成された紐体４は、保持体２の貫通孔２１に通され、それぞれの両端を接合させることによってループ状をなすようにしている。この紐体４の両端を接合する場合は、貫通孔２１に通した後に両端を結んで接合するようにしてもよく、あるいは、両端を接着剤やテープなどの留め具を用いて接合するようにしてもよい。なお、本実施の形態では、紐体４をテープなどの留め具を用いて接合しているものとする。
【００２１】
次に、このように構成された指間健康器具１の使用方法について説明する。
【００２２】
まず、指間健康器具１を使用する場合、一端側の把手３をベッドの柵などに結びつけ、他方側を片手で持って引っ張る。すると、保持体２を介して紐体４が引っ張られ、それぞれの紐体４の間に隙間が形成される。このとき、保持体２を引っ張ることによって、ループ状の紐体４がそれぞれ張力を均一にした状態で引っ張られる。そして、このように紐体４を引っ張ることによって紐体４の間に隙間を設けた後、足指５を紐体４の間に挿入して紐体４を指間に挟み込む（図３（ａ））。そして、紐体４の挟み込みが完了した後に、足を紐体４の方向に沿って上下動させることによって指間を摩擦・マッサージする。ところで、このとき、例えば、小指と薬指の間のように指間が狭い部分が存在すると、紐体４との摩擦が強くなって紐体４が運動方向に引っ張られ、紐体４がずれてしまう可能性がある。しかしながら、把手３を手で強く引っ張ることで、紐体４と貫通孔２１の角部２２との間に大きな摩擦を生じさせ、これによって、紐体４のずれを防止して指間の摩擦やマッサージを可能にする。
【００２３】
次に、このように足指５を摩擦・マッサージして使用箇所（図３における網掛部分）が汚れた場合、両方の保持体２の引っ張りを緩めて紐体４を矢印の方向に巡回させるようにずらし（図３（ｂ））、新たな使用箇所で同様の摩擦やマッサージの動作を行うようにする。
【００２４】
このように上記実施の形態によれば、人間の手足の指間を摩擦、あるいは、マッサージする指間健康器具１において、指間に挟み込む紐体４と、当該紐体４を保持する一対の保持体２とを備え、当該保持体２の間に保持された紐体４間に一定の隙間を設けた状態で前記紐体４を保持体２に取り付けるようにしたので、保持体２を引っ張った状態で紐間に隙間を形成することができ、そのまま足を挿入すれば指間に紐体４を挟み込むことができるようになる。そして、このように紐体４を指間に挟み込んだ状態で足を上下動させることによって、指間を摩擦あるいはマッサージさせて血行を促進することができるようになる。
【００２５】
また、この紐体４を保持体２にループ状にして取り付けるようにしたので、一本ずつ紐体４を取り付ける場合に比べて結び箇所を少なくすることができ、より簡単に紐体４を取り付けることができるようになる。
【００２６】
そして、このループ状の紐体４を巡回させられるように保持体２に取り付けるようにしたので、使用によって汚の生じた部分をずらして他のきれいな部分を使用することができ、長期的に一つの紐体４を使用し続けることができるようになる。
【００２７】
なお、本発明は上記実施の形態に限定されることなく、種々の態様で実施することができる。
【００２８】
すなわち、上記実施の形態では、木製の保持体２に貫通孔２１を設けて紐体４を取り付けるようにしているが、貫通孔２１を設けることなく、紐体４をスライドさせることができるような孔やフックなどを取り付けるようにしてもよい。
【００２９】
また、本実施の形態では、紐体４をループ状にして取り付けるようにしているが、この紐体４の長さを調整して一本ずつ保持体２に取り付けるようにしてもよい。
【００３０】
さらに、上記実施の形態では、貫通孔２１の角部２２によって紐体４の巡回を止めるようにしているが、これに限らず、貫通孔２１に楔状の部材を挿入させることによって使用時のずれなどを防止させるようにしてもよい。
【００３１】
また、上記実施の形態では、使用時における方向性をなくすように、紐体４を正方形状をなすように取り付けているが、これに限らず、同時に５本の足の指間に紐体４を挟み込めるように直線状に紐体４を取り付けるようにしてもよい。
【００３２】
また、上記実施の形態では、２つのループ状の紐体４を設けるようにしているが、これを１本の紐体４によってループを構成するようにしてもよい。
【図面の簡単な説明】
【００３３】
【図１】本発明の一実施の形態を示す指間健康器具の外観斜視図
【図２】同形態における断面図
【図３】同形態における使用状態を示す図
【図４】従来例における指間健康装置
【図５】従来例における指間健康装置
【符号の説明】
【００３４】
１・・・指間健康器具
２・・・保持体
２１・・・貫通孔
２２・・・角部
３・・・把手
４・・・紐体
５・・・足指
【図１】
2009189395.tif 000003
【図２】
2009189395.tif 000004
【図３】
2009189395.tif 000005
【図４】
2009189395.tif 000006
【図５】
2009189395.tif 000007